(57)【要約】【課題】  一体構造のサーフボードロックを提供する。【解決手段】  本サーフボードロックは、二つの係合部材を含むロック本体を有し、係合部材は引っ込め位置から延長位置まで移動でき、この延長位置で係止でき、引っ込め位置では、係合部材はサーフボードのフィンボックス開口部に少なくとも部分的に導入でき、延長位置では、係合部分はフィンボックス開口部の内壁と係合してロックの取り外しに抵抗する。サーフボードロックは、ロックをしっかりとした物体に取り付けるため、ロック本体に取り付けられた取り付け手段を更に含む。
2005510644.tif 000002
【特許請求の範囲】
【請求項１】
一体構造のサーフボードロックにおいて、
二つの係合部材を含むロック本体、
前記係合部材は引っ込め位置から延長位置まで移動でき、この延長位置で係止でき、
前記引っ込め位置では、前記係合部材はサーフボードのフィンボックス開口部に少なくとも部分的に導入でき、
前記延長位置では、前記係合部分は前記フィンボックス開口部の内壁と係合して前記ロックの取り外しに抵抗し、
前記ロックをしっかりとした物体に取り付けるため、前記ロック本体に取り付けられた取り付け手段を含む、サーフボードロック。
【請求項２】
請求項１に記載のサーフボードロックにおいて、前記係合部材は、ヒンジ軸線を中心として回転することによって前記延長位置と前記引っ込め位置との間で移動できる、サーフボードロック。
【請求項３】
請求項２に記載のサーフボードロックにおいて、前記二つの係合部材は、二つのカバー部材と一体成形されている、サーフボードロック。
【請求項４】
請求項３に記載のサーフボードロックにおいて、前記カバー部材は枢着され、ヒンジ軸線を形成する、サーフボードロック。
【請求項５】
請求項３に記載のサーフボードロックにおいて、前記係合部材は、ロックピンを前記ロックに挿入することによって前記延長位置に係止できる、サーフボードロック。
【請求項６】
請求項５に記載のサーフボードロックにおいて、前記係合部材は、カバー部材の孔を通してロックピンを挿入することによってそれらの延長位置に係止でき、前記ロックピンは、更に、他方のカバー部材に取り付けられたロックピースに当接し、これらのカバー部材間の相対的移動に抵抗する、サーフボードロック。
【請求項７】
請求項１乃至６のうちのいずれか一項に記載のサーフボードロックにおいて、前記係合部材は、反対方向外方に差し向けられたラグを含む、サーフボードロック。
【請求項８】
請求項１乃至７のうちのいずれか一項に記載のサーフボードロックにおいて、前記取り付け手段は、第１端が前記ロックに永久的に取り付けられており且つ前記ロックをしっかりとした物体に取り付けるために第２端を係合させることができる取り付け部材を含む、サーフボードロック。
【請求項９】
請求項８に記載のサーフボードロックにおいて、前記取り付け部材の前記第２端は前記ロック本体と係合可能である、サーフボードロック。
【請求項１０】
請求項８又は９に記載のサーフボードロックにおいて、前記取り付け部材は可撓性である、サーフボードロック。
【請求項１１】
請求項８、９、又は１０に記載のサーフボードロックにおいて、前記ロックピンは前記取り付け部材の前記第２端に取り付けられている、サーフボードロック。
【請求項１２】
実質的に、添付図面を参照して本明細書中に説明したサーフボードロック。
【発明の詳細な説明】
【技術分野】
【０００１】
本発明はサーフボードロックに関する。
【背景技術】
【０００２】
残念なことに、サーフボードの盗難が一般的になっている。かくして、サーフボードが公共の場所に取り付けられていないままになっている場合には、ロック等の盗難防止装置を使用するのが望ましい。しかしながら、比較的に大きい滑らかな物品であり、チェーンや南京錠等の一般的な係止装置では固定が容易でない。サーフボードの許可されていない取り外しを阻止するため、サーフボード及び車輛のルーフラック等のしっかりとした物体の両方に取り付ける特別のロックが必要とされている。
【０００３】
多くのマリブ型サーフボードはフィンボックスを有する。これらのフィンボックスは様々な標準的な大きさで製造され、代表的には、スロット開口部を持つ細長い矩形の箱状構造をサーフボードの下側に備えている。フィンボックスの長い方の側壁には、サーフボードフィンを保持するように設計された長さ方向に差し向けられた内部凹所が設けられている。これは、比較的アクセスし難いけれども、ロックを取り付けることができるアンカーを提供する。
【０００４】
今日、フィンボックスに取り付けられるサーフボードロックは、別々の構成要素を含む複雑な構成であった。これらの構成要素は、注意深く挿入されなければならず且つ南京錠又は他の部材によって所定の場所に取り付けられる前に保持されなければならない。多くの場合、南京錠を係合するときに幾つかの構成要素を一緒に保持するのは困難であった。更に、別々の構成要素はなくしやすい。このことは、部品を落として砂に入ってしまい易い海岸でロックを使用する場合に特にいえる。
【発明の開示】
【発明が解決しようとする課題】
【０００５】
以上の問題点をなくす構成が必要とされている。
【課題を解決するための手段】
【０００６】
第１の特徴では、本発明は、一体構造のサーフボードロックにおいて、二つの係合部材を含むロック本体を有し、係合部材は引っ込め位置から延長位置まで移動でき、この延長位置で係止でき、引っ込め位置では、係合部材はサーフボードのフィンボックス開口部に少なくとも部分的に導入でき、延長位置では、係合部分はフィンボックス開口部の内壁と係合してロックの取り外しに抵抗し、ロックをしっかりとした物体に取り付けるため、ロック本体に取り付けられた取り付け手段を更に含む、サーフボードロックを提供する。
【０００７】
本願の目的のため、一体構造のロックは、別体の構成要素即ち部品がないロックである。即ち、ロック中又はロック解除中に一部品のままである。しかしながら、このようなロックは、個々の構成要素から形成されていてもよい。
【０００８】
一体構造であることにより、ロックの操作が簡単である。更に、ロックの個々の構成要素をなくしたり誤って設置したりすることがない。
好ましくは、係合部材は、ヒンジ軸線を中心として回転することによって延長位置と引っ込め位置との間で移動できる。これにより、ロックを操作するための簡単であり且つ信頼性のある機構が提供される。
【０００９】
好ましくは、二つの係合部材は、二つのカバー部材と一体成形されている。これにより、ロックの形成に必要な構成要素の全体としての数が減少する。
好ましくは、カバー部材は枢着され、ヒンジ軸線を形成する。
【００１０】
好ましくは、係合部材は、ロックピンをロックに挿入することによって延長位置に係止できる。
好ましくは、係合部材は、カバー部材の孔を通してロックピンを挿入することによってそれらの延長位置に係止でき、ロックピンは、更に、他方のカバー部材に取り付けられたロックピースに当接し、これらのカバー部材間の相対的移動に抵抗する。
【００１１】
好ましくは、係合部材は、反対方向外方に差し向けられたラグを含む。これらのラグは、フィンボックスの内壁に設けられた長さ方向凹所と係合する。
好ましくは、取り付け手段は、第１端がロックに永久的に取り付けられており且つロックをしっかりとした物体に取り付けるために第２端を係合させることができる取り付け部材を含む。取り付け部材は、車輛のルーフラック、電話ポール、又は容易には動かない他のしっかりとした物体と係合できる。
【００１２】
好ましくは、取り付け部材の第２端はロック本体と係合可能である。取り付け部材の第２端をしっかりとした物体の周囲に通し、ロック本体と係合する。これにより、第２端をしっかりとした物体に係合するための別体の南京錠等を必要としないようにする。
【００１３】
好ましくは、取り付け部材は可撓性である。これにより、有利には、取り付け部材を様々な形状及び大きさのしっかりとした物体に通すことができる。
好ましくは、ロックピンは取り付け部材の第２端に取り付けられている。かくして、取り付け部材の第２端とロック本体との係合により、係合部材を延長位置で係止する。このようにして、取り付け部材の第２端は二つの機能を実行し、ロックの形成に必要な部品の数を少なくする。
【００１４】
以下に本発明の一実施例を添付図面を参照して説明する。これらの図面の詳細及び関連した説明は、本発明の以上の大まかな説明に代わるものではないということは理解されるべきである。
【発明を実施するための最良の形態】
【００１５】
【実施例】
【００１６】
図１を参照すると、この図には、前カバー１２及び後カバー１４を含むロック本体１１を有するサーフボードロック１０が示してある。前後のカバーは、延長位置で示してある係合部材１３及び１５で終端する。これらの係合部材は、外方に突出したラグ１６及び１８を含む。ロックは、太い可撓性ケーブルの形態の取り付け手段２０を更に含む。このケーブル２０は、ロック本体１１に永久的に取り付けられた第１端２２及びロックピン２６で終端する第２端２４を有する。ケーブルの中間区分は示してない。ケーブルは、ケーブルをしっかりとした物体の周りに延ばしてロックピン２６をロック本体１１に挿入できるのに十分な任意の長さを備えている。ピン２８が前後のカバーを接合するヒンジを形成する。ロックバレル３０は、適当なキーを挿入すれば回転させることができる。これにより、ロックピン２６をロック本体１１に保持するか或いはロック本体１１から解放する。
【００１７】
図２を参照すると、係合部材１３及び１５が引っ込め位置で示してある。これは、ピン２８が形成するヒンジを中心として前カバー１２及び後カバー１４を回転することによって行われる。係合部材１３及び１５は、この位置にあるときにサーフボードのフィンボックス開口部に導入できる。この場合、ピン２８が形成するヒンジを中心として前カバー１２及び後カバー１４を回転することによって係合部材１３及び１５をそれらの延長位置に再び戻すことができる。
【００１８】
図３及び図４を参照すると、ロック１０は、サーフボードで使用するためのフィンボックス３１と係合した状態で示してある。外方に延びるラグ１６及び１８が、フィンボックス３１の壁の長さ方向内部凹所３２と係合する。使用では、フィンボックス３１はサーフボードに固定的に取り付けられる。フィンボックス３１は、サーフボードの下側に埋め込まれており且つ接着剤で取り付けられている。フィンボックスは、一部がサーフボードのぴかぴかした外面層によって取り囲まれている。確かに、フィンボックスを無理やり取り外すと、代表的には、サーフボードに大きな損傷が加わる。
【００１９】
図５、図６、及び図７を参照すると、係合部材１３及び１５をそれらの延長位置で係止するため、ロックピン２６を後カバー１４の孔を通してロック本体１１に導入する。ロックピン２６は、ロックピース３６のフランジ３７に当接する。ロックピースは、孔３８をラグ４０に嵌めることによって前カバー１２に配置され、ねじ又はリベットをラグ４０に挿入することによって所定の場所に保持される。ロックピン２６を孔３４に通すのと相まってフランジ３７と当接することにより、ピン２８が形成するヒンジを中心とした前後のカバー１２及び１４の回転が阻止され、及びかくして引っ込み位置への係合部材の移動を阻止する。
【００２０】
図６及び図７を参照すると、ピン２８（図示せず）はアイレット４４及び４６に通される。これにより、前カバー１２及び後カバー１４を互いに保持し、前カバー１２及び後カバー１４の回転の中心となるヒンジを提供する。
【００２１】
適当なキーを挿入したとき、ロックバレル３０を回転させることができる。この回転により、ロックバレル３０をロックピン２６の狭幅部分４２と係合させる。かくして係合すると、ロックピン２６はロック本体１１と係合した状態に保持され、ロックを破壊するのに十分な極端な力でしか取り外すことができない。
【００２２】
ロックピン２６をロック本体１１に挿入する前にケーブル２０をしっかりとした物体の周囲に通す。かくして、ロックピン２６をロック本体１１に保持することにより、延長位置にある係合部材を係止するばかりでなく、ロック１０をケーブル２０によってしっかりとした物体に取り付け、及びかくしてサーフボードの許可されていない取り外しに抵抗するのにも役立つ。
【００２３】
代表的には、フィンボックスにフィンが保持されている場合でも、ロックをフィンボックスに取り付けるのに十分な余裕がある。これは、使用された特定のフィンボックス−フィン組み合わせの寸法で決まる。
【００２４】
ロックバレル３０の代わりに、ロックピン２６を保持するのに組み合わせロックを使用できる。
ロックの構成要素は、好ましくは、強度及び耐蝕性を併せ持つため、ステンレス鋼から形成される。ロックの寸法は、ロックの許可されていない取り外しに抵抗するための適当な強度を提供するために使用される材料に従って決定される。
【００２５】
最後に、上文中に説明した部品に、本発明の精神又は範囲から逸脱することなく、様々な変更又は追加を行うことができるということは理解されるべきである。
【図面の簡単な説明】
【００２６】
【図１】係合部材が延長位置にある本発明によるサーフボードロックの一実施例の斜視図である。
【図２】係合部材が引っ込め位置にある図１のサーフボードロックの斜視図である。
【図３】フィンボックスと係合した図１のサーフボードロックの斜視図である。
【図４】断面で示すフィンボックスと係合した図１のサーフボードロックの正面図である。
【図５】図１のサーフボードロックの分解図である。
【図６】図１のサーフボードロックの後カバーの斜視図である。
【図７】図１のサーフボードロックの前カバーの斜視図である。
【符号の説明】
【００２７】
１０  サーフボードロック
１１  ロック本体
１２  前カバー
１４  後カバー
１３、１５  係合部材
１６、１８  ラグ
２０  取り付け手段
２２  第１端
２４  第２端
２６  ロックピン
２８  ピン
３０  ロックバレル
３１  フィンボックス
３２  長さ方向内部凹所
３４  孔
３６  ロックピース
３７  フランジ
３８  孔
４０  ラグ
４４、４６  アイレット
【図１】
2005510644.tif 000003
【図４】
2005510644.tif 000004
【図２】
2005510644.tif 000005
【図３】
2005510644.tif 000006
【図５】
2005510644.tif 000007
【図６】
2005510644.tif 000008
【図７】
2005510644.tif 000009
【国際調査報告】
2005510644.tif 000010
2005510644.tif 000011